(57)【要約】【課題】セカンドファンをスペースに余裕がある位置に配設し、かつセカンドファンのファン機能を有効活用できるコンバインを提供することを目的とする。【解決手段】脱穀された穀粒を揺動選別する揺動選別装置６と、揺動選別装置６の後部に選別風を送風するセカンドファン１０７とを備えるコンバイン１００において、セカンドファン１０７は、二番穀粒を回収する二番コンベア２７の後方、かつ脱穀部５終端の三番口５ａの下方に配設され、三番口５ａから排出される穀粒を吸入して、二番コンベア２７上に還元するものである。【選択図】図４
2009065846.tif 000002
【特許請求の範囲】
【請求項１】
脱穀された穀粒を揺動選別する揺動選別装置と、
該揺動選別装置の後部に選別風を送風するセカンドファンと、を備える、
コンバインにおいて、
前記セカンドファンは、
二番穀粒を回収する二番コンベアの後方、かつ脱穀部終端で藁屑を排出する三番口の下方に配設され、
該三番口から排出される穀粒を吸入して、前記二番コンベア上に還元する、
ことを特徴とするコンバイン。
【請求項２】
前記セカンドファンは、
選別風を導出して、吹き出す風洞を備え、
該風洞は、
該セカンドファンを覆うファンケース前部が、前記二番コンベアの下側を通って機体前方に延出され、前記一番コンベアの流穀板下面に沿って屈曲されて、前記揺動選別装置のストローラックに向けて選別風を吹き出すように形成されている、
ことを特徴とする請求項１に記載のコンバイン。
【請求項３】
前記風洞内に、前記セカンドファンの選別風の風量を調節する風量調節弁が設けられている、
ことを特徴とする請求項１または請求項２に記載のコンバイン。
【請求項４】
前記セカンドファンは、
前記ファンケース上部に、空気吸入口が開口され、
該吸入口の上方に、前記三番口から排出される穀粒を再選別する篩線が配設され、
該篩線で再選別された穀粒を該吸入口から吸入し、前記二番コンベア上に還元する、
ことを特徴とする請求項１から請求項３までのいずれか一項に記載のコンバイン。
【発明の詳細な説明】
【技術分野】
【０００１】
本発明は、脱穀された穀粒を揺動選別する揺動選別装置と、該揺動選別装置の後部に選別風を送風するセカンドファンと、を備えるコンバインの技術に関し、より詳細には、セカンドファンの配置の技術に関する。
【背景技術】
【０００２】
従来、脱穀された穀粒を揺動選別する揺動選別装置と、該揺動選別装置の後部に選別風を送風するセカンドファンと、を備えるコンバインの技術は公知となっている。
例えば、特許文献１には、扱胴の下方前方から後方の風選室に向けて形成した選別風路内に揺動選別体を架設し、脱穀処理物を機体幅方向に配設した横流ファンの下方からの圧風力で再選するように構成したコンバインにおいて、上記横流ファンの吸い込み側の回転軌跡に沿って上方に伸びる前壁と、吹出し側の回転軌跡に沿って下方に伸びる後壁で吸入空気の入出路を形成し、かつ上記前壁の下端縁を横流ファンの回転軌跡に沿う垂下方向に延出すると共に、上記横流ファンの左右端部の外周回転軌跡に臨む風止部材を、前壁の下端縁から後壁の下端縁に至る吸入開口部の左右側壁に延設したことを特徴とするコンバインにおける横流ファンのケース構造が開示されている。
【特許文献１】特開平１１−３０８９２１号公報
【発明の開示】
【発明が解決しようとする課題】
【０００３】
しかし、特許文献１に開示されているコンバインにおける横流ファンのケース構造は、横流ファンの吸入、吹出し効率を向上させることができる等の効果を奏するものであるが、いわゆるセカンドファンである横流ファンは、一番樋と二番樋間に設けられており、この一番樋と二番樋間は、構造上スペースを広げることが困難であるため、大径のファンを設けることができない。また、従来のセカンドファンは風選用にしか利用されておらず、ファン機能が十分に活かされているとは言えない。
【０００４】
本発明は以上の状況に鑑み、セカンドファンをスペースに余裕がある位置に配設し、かつセカンドファンのファン機能を有効活用できるコンバインを提供することを目的とする。
【課題を解決するための手段】
【０００５】
本発明の解決しようとする課題は以上のとおりであり、次にこの課題を解決するための手段を説明する。
【０００６】
すなわち、請求項１においては、
脱穀された穀粒を揺動選別する揺動選別装置と、
該揺動選別装置の後部に選別風を送風するセカンドファンと、を備える、
コンバインにおいて、
前記セカンドファンは、
二番穀粒を回収する二番コンベアの後方、かつ脱穀部終端で藁屑を排出する三番口の下方に配設され、
該三番口から排出される穀粒を吸入して、前記二番コンベア上に還元する、
ものである。
【０００７】
請求項２においては、
前記セカンドファンは、
選別風を導出して、吹き出す風洞を備え、
該風洞は、
該セカンドファンを覆うファンケース前部が、前記二番コンベアの下側を通って機体前方に延出され、前記一番コンベアの流穀板下面に沿って屈曲されて、前記揺動選別装置のストローラックに向けて選別風を吹き出すように形成されている、ものである。
【０００８】
請求項３においては、
前記風洞内に、前記セカンドファンの選別風の風量を調節する風量調節弁が設けられている、ものである。
【０００９】
請求項４においては、
前記セカンドファンは、
前記ファンケース上部に、空気吸入口が開口され、
該吸入口の上方に、前記三番口から排出される穀粒を再選別する篩線が配設され、
該篩線で再選別された穀粒を該吸入口から吸入し、前記二番コンベア上に還元する、ものである。
【発明の効果】
【００１０】
本発明の効果として、以下に示すような効果を奏する。
【００１１】
請求項１においては、
脱穀部終端はスペースに余裕があるため、大径のセカンドファンを設けることができ、選別するのに十分な風量を発生させることができる。
また、吸入した穀粒を二番コンベアで回収できるため、三番ロスを低減できる。
【００１２】
請求項２においては、
脱穀部終端のスペースを有効活用して、セカンドファンを設けることができる。
また、二番コンベア及びストローラック付近での選別精度が向上するとともに、ストローラック上の藁屑の移送を促進し、滞留を防ぐことができる。
【００１３】
請求項３においては、
穀稈量に応じて、セカンドファンの選別風の風量を適正に調節できる。
【００１４】
請求項４においては、
セカンドファンが藁屑を吸入することなく、穀粒のみを吸入して二番コンベアで回収できる。
【発明を実施するための最良の形態】
【００１５】
次に、発明を実施するための最良の形態を説明する。
図１はコンバインの側面図、図２は同じく平面図、図３は脱穀部の側面断面図、図４はセカンドファン及び風洞の側面断面図、図５は第一実施例のセカンドファン及び穀稈量検出手段の側面図、図６は第二実施例のセカンドファン及び穀稈量検出手段の側面図、図７は第三実施例のセカンドファン及び穀稈量検出手段の側面図である。
【００１６】
先ず、本発明の一実施例に係るコンバイン１００の全体構成について、図１及び図２を用いて説明する。
なお、以下の説明では、機体３の進行方向に向かって左側を単に「左側」とし、同じく進行方向に向かって右側を単に「右側」とする。
【００１７】
図１及び図２に示すように、コンバイン１００は、クローラ式走行装置２上に機体３が配設され、この機体３の前部には、刈取部４が配設されている。機体３上の左側には、扱胴２２、揺動選別装置６、唐箕ファン１９、プレファン２０、セカンドファン１０７等を備える脱穀部５が配設されている。機体３上の前部右側には、運転席１０及びステアリングハンドル１１等を備える運転部９が配設されている。
【００１８】
運転部９の下方で機体３上の前部右側には、エンジン１２が配設され、運転部９の後方で機体３上の後部右側には、グレンタンク１３が配設されている。グレンタンク１３の底部には、排出コンベア１４が機体前後方向に配設され、グレンタンク１３の後部には、排出オーガ１５の縦送りオーガ１５ａが立設され、グレンタンク１３に貯溜された穀粒は、排出コンベア１４で機体後方に搬送され、排出オーガ１５先端部の排出口からトラック等へ排出される。
【００１９】
フィードチェーン８の後端（搬送方向終端）には、排藁チェーン１６が配設されている。
排藁チェーン１６後下方には、排藁カッター１８、拡散コンベア等を備える排藁処理部１７が配設されているとともに、排藁チェーン１６の下側には、伸縮可能に構成された排藁ガイド棒１６ａ（図５参照）が配設され、排藁を「切断」と「非切断」とに切換可能とする。フィードチェーン８の後端側から排藁チェーン１６に受け継がれた排藁は、排藁ガイド棒１６ａが伸長されて、長い状態のまま機体３の後方に排出されるか、または排藁ガイド棒１６ａが縮長されて、排藁カッター１８にて適宜長さに短く切断された後、機体３の後方に排出される。
【００２０】
次に、脱穀部５について、図３を用いて説明する。
図３に示すように、脱穀部５は、扱室２１内に穀稈脱穀用の扱胴２２が機体前後方向に架設されている。扱胴２２の下方周囲には、受網２３が配設され、脱穀された穀粒等を通過して荒選別する。
そして、扱胴２２の後方でグレンタンク１３側の処理室２４内には、扱室２１より搬送された枝梗付着粒を脱粒する処理胴２５が、扱胴２２と平行に機体前後方向に架設されている。扱室２１（後部右側）と処理室２４（前部左側）とは、送塵口３７を介して連通され、扱室２１内の枝梗付着粒及び藁屑等が送塵口３７から、処理室２４内に搬送される。処理胴２５の下方周囲には、ろ過網２５ａが配設され、脱粒された穀粒等を通過して選別する。
【００２１】
そして、前記受網２３の下方には、脱穀された穀粒を揺動選別する揺動選別装置６が配設されている。揺動選別装置６の前下方及び前方には、揺動選別された穀粒に選別風を送風する唐箕ファン１９及びプレファン２０が配設されている。脱穀部５終端で揺動選別装置６の後下方には、揺動選別装置６の後部に選別風を送風するセカンドファン１０７（横断流ファン）が配設されている。
【００２２】
そして、揺動選別装置６の下方で唐箕ファン１９の後方には、一番穀粒を搬送する一番コンベア２６が機体左右方向に横設されている。一番コンベア２６の右端には、一番コンベア２６で搬送された一番穀粒をグレンタンク１３に搬送する揚穀コンベア２８が連設されている。
そして、一番コンベア２６の後方には、二番穀粒を搬送する二番コンベア２７が機体左右方向に横設されている。二番コンベア２７の右端には、二番コンベア２７で搬送された二番穀粒を搬送して揺動選別装置６の前部（フィードパン３２）上に還元する二番縦コンベア２９が連設されている。二番縦コンベア２９の前端（搬送終端部）には、搬送された被処理物の枝梗を除去する枝梗処理装置３０が設けられている。
そして、揺動選別装置６の後上方には、唐箕ファン１９及びプレファン２０の選別風に乗ってきた塵埃等を吸引して機外に排出する吸引ファン３１（横断流ファン）が配設されている。
【００２３】
次に、揺動選別装置６について、図３を用いて説明する。
図３に示すように、揺動選別装置６は、揺動選別装置６の前部に配設されるフィードパン３２、３３と、このフィードパン３２の後部に配設されるチャフシーブ３４と、このチャフシーブ３４の下方でフィードパン３３の後部に配設されるグレンシーブ３５と、揺動選別装置６の後部に配設されるストローラック３６とを備える。
【００２４】
フィードパン３２、３３は、前部がフィードパン３２、このフィードパン３２の後下部がフィードパン３３とされて揺動選別装置６の前部に配設され、受網２３を通過した穀粒を均平、比重選別する。
【００２５】
チャフシーブ３４は、フィードパン３２の後部に配設され、フィードパン３２より送られた穀粒と藁屑、及び受網２３を通過した穀粒と藁屑を粗選別する角度可変式横棧チャフシーブである。チャフシーブ３４は、機体前後方向に所定の間隔で配列された複数の選別板３４ａ・３４ａ・・・を備え、詳細な説明は省略するが穀稈量検出手段４１（図５参照）により穀稈量に連動して選別板３４ａ・３４ａ・・・の間隔が変更されて粗選別する。
【００２６】
グレンシーブ３５は、チャフシーブ３４の下方に配設され、チャフシーブ３４で粗選別された穀粒を唐箕ファン１９及びプレファン２０の選別風と合いまって精選別を行う。
【００２７】
ストローラック３６は、揺動選別装置６の後部に配設され、藁屑をほぐして穀粒を二番コンベア２７に落下させて再選別を行い、藁屑を脱穀部５終端の三番口５ａから排出する。
【００２８】
次に、唐箕ファン１９及びプレファン２０について、図３を用いて説明する。
図３に示すように、唐箕ファン１９は、揺動選別装置６の前下方に配設され、プレファン２０は、揺動選別装置６の前方に配設され、チャフシーブ３４で粗選別された穀粒等に選別風を送風して精選別を行うとともに、脱穀部５内の塵埃等を機体後方に吹き飛ばす。
【００２９】
すなわち、唐箕ファン１９及びプレファン２０は、チャフシーブ３４及びグレンシーブ３５を通過した穀粒等に選別風を送風し、この選別風に逆らって落下する穀粒を一番コンベア２６へ、比重の小さい軽い物を二番コンベア２７上に飛ばす。二番コンベア２７上に飛ばされた穀粒等の内、比較的重い物は、二番コンベア２７に落下し、前記二番縦コンベア２９で搬送されて枝梗処理装置３０で枝梗除去された後、フィードパン３２上に還元されて再選別される。
【００３０】
唐箕ファン１９は、唐箕ファンケース３８に覆われており、この唐箕ファンケース３８は、側部が開放されて空気を吸入する吸入口（図示省略）が形成されているとともに、後部が開放されてグレンシーブ３５の下方から選別風を送風する第一風路３８ａが形成され、さらに上部が開放されてチャフシーブ３４とグレンシーブ３５との間に選別風を送風する第二風路３８ｂが形成されている。
そして、唐箕ファン１９は、前記吸入口を開閉して送風力を調節するためのシャッター（図示省略）を備え、詳細な説明は省略するが穀稈量検出手段４１（図５参照）により穀稈量に連動して前記吸入口が開閉されて送風力が調節される。
【００３１】
プレファン２０は、プレファンケース３９に覆われており、このプレファンケース３９は、側部が開放されて空気を吸入する吸入口（図示省略）が形成されているとともに、後部が開放されて唐箕ファンケース３８の上部からフィードパン３２とチャフシーブ３４との間に選別風を送風する風路３９ａが形成されている。
そして、プレファン２０は、前記吸入口からエンジン１２の熱気を吸引して、温風をチャフシーブ３４へ送風するとともに、前記吸入口を開閉して送風力を調節するシャッター（図示省略）を備え、詳細な説明は省略するが穀稈量検出手段４１（図５参照）により穀稈量に連動して前記吸入口が開閉されて送風力が調節される。
【００３２】
次に、セカンドファン１０７について、図３から図５を用いて説明する。
図３に示すように、セカンドファン１０７は、脱穀部５終端の揺動選別装置６の後下方、具体的には前記二番コンベア２７の後方、かつ前記三番口５ａの下方に配設されている。そして、セカンドファン１０７は、吸入口７２が上方に向けて配設されているとともに、吐出口に後述する風洞７４が連通されて吹出口７３が二番コンベア２７の上方に配設されて、揺動選別装置６の後部に選別風を送風するとともに、三番口５ａから排出される穀粒を吸入して、二番コンベア２７上に還元する。
【００３３】
セカンドファン１０７は、横断流ファンにより構成され、ファンケース７１に覆われており、このファンケース７１は、空気を吸入する吸入口７２と、選別風を導出して吹出口７３から吹き出す風洞７４とを備える。
吸入口７２の上方には、三番口５ａから排出される穀粒を再選別する篩線７５が設けられている。風洞７４内には、セカンドファン１０７の選別風の風量を調節する風量調節弁７６が設けられている。
【００３４】
セカンドファン１０７は、機体左右方向に軸心を有するファン軸１０７ａがストローラック３６の後端付近で三番口５ａの下方に配設されている。
【００３５】
ファンケース７１は、セカンドファン１０７の機体左右方向の全幅を覆うケーシングであり、セカンドファン１０７の前部を覆う前部カバー７１ａと、同じく後部を覆う後部カバー７１ｂとを備える。
前部カバー７１ａは、側面視略円弧状に形成されてセカンドファン１０７の前部を覆う。後部カバー７１ｂは、下部が側面視略円弧状に形成されてセカンドファン１０７の後下部を覆い、上部が円弧上端から略垂直に上方に延設されてセカンドファン１０７の後上部を覆うように側面視Ｊ字状に形成されて、セカンドファン１０７の後部を覆う。
【００３６】
吸入口７２は、ファンケース７１上部に開口されて空気を吸入し、前部カバー７１ａの上端と後部カバー７１ｂの上端との間に所定の開口長（機体前後方向の長さ）を有するように形成されている。
【００３７】
風洞７４は、ファンケース７１前部（前部カバー７１ａの下端及び下部カバー７１ｂの下端（前端））が、二番コンベア２７の下側を通って機体前方に延出され（第一延設部７４ａ）、一番コンベア２６の流穀板２６ａの下面に沿って後上方に斜めに屈曲され（屈曲部７４ｂ）、先端（送風方向終端）が二番コンベア２７の上方まで延設され（第二延設部７４ｃ）、吹出口７３をストローラック３６に向けて選別風を吹き出すように形成されている。
そして、風洞７４（第二延設部７４ｃ）は、送風方向にやや先細り状に形成されているとともに、先端（送風方向終端）が開放されて選別風を吹き出す吹出口７３が形成されている。
【００３８】
吹出口７３は、二番コンベア２７の上方に配設され、風洞７４を介して導出された選別風を吹き出す。
そして、吹出口７３内には、ストローラック３６前部に選別風を送風する風向板７７が設けられ、ストローラック３６に向けて選別風を確実に送風する。
【００３９】
風量調節弁７６は、風洞７４内の送風路の途中において機体左右方向の略全幅に横設される板状部材であり、風洞７４内に機体左右方向に軸支されている回動軸７６ａを介して上下回動可能に軸支され、上下回動されて風洞７４の開度（開口面積）を調節して、セカンドファン１０７の選別風の風量を調節する。
そして、風量調節弁７６は、穀稈量検出手段４１（検出アーム４５）に一端が連結されている同調ワイヤ７６ｂの他端が連結されているとともに、バネ７６ｃが取り付けられて同調ワイヤ７６ｂの引張方向と反対方向に付勢されている。
【００４０】
穀稈量検出手段４１は、検出ロッド４２と、検出プレート４３と、回動軸４４と、検出アーム４５とを備える。左右方向に軸心を有する回動軸４４が機体に枢支され、検出プレート４３の後端及び検出アーム４５の上端が、この回動軸４４に固定されている。検出アーム４５の下端には、前記同調ワイヤ７６ｂの一端が連結され、排藁ガイド棒１６ａの下面に垂設されている検出ロッド４２の下端が、検出プレート４３の上面に当接されている。
【００４１】
篩線７５は、吸入口７２の上方に設けられた櫛状の部材であり、三番口５ａの開口下端から機体後方に側面視湾曲状に延設され、後端が吸入口７２（ファンケース７１）の後端よりもさらに機体後方まで延設されて形成されている。
そして、篩線７５は、ストローラック３６に移送されて三番口５ａから排出される藁屑中に含まれる穀粒を選別し、この篩線７５で選別された穀粒は、セカンドファン１０７の吸入口７２から吸入される。
【００４２】
このような構成により、図４に示すように、セカンドファン１０７は、ファンケース７１上部の吸入口７２から空気を吸入して選別風を発生させ、この選別風を風洞７４を介して機体前方に導出し、二番コンベア２７の上方に配設されている吹出口７３からストローラック３６に向けて吹き出す（図４に示す太実線矢印）。
【００４３】
一方、ストローラック３６に移送された藁屑（図４に示す太二点鎖線矢印）は、三番口５ａから排出されて篩線７５上に落下され、篩線７５で藁屑中に含まれる穀粒が選別される。すなわち、藁屑中に含まれる穀粒だけが篩線７５を通過してファンケース７１上部の吸入口７２から吸入され（図４に示す細点線矢印）、藁屑は篩線７５を通過せずに機体後方に排出される（図４に示す細二点鎖線矢印）。
【００４４】
そして、吸入口７２から吸入された穀粒は、セカンドファン１０７の選別風に乗って風洞７４を介して導出され、吹出口７３から選別風とともに吹き出されて二番コンベア２７上に放出される。この二番コンベア２７上に放出された穀粒は、二番コンベア２７に回収されて、前述のようにして二番縦コンベア２９で搬送されて枝梗処理装置３０で枝梗除去された後、フィードパン３２上に還元されて再選別される。
【００４５】
また、図５に示すように、排藁チェーン１６で搬送される排藁（穀稈）の量が増加すると、排藁ガイド棒１６ａが下方に押し下げられる。排藁ガイド棒１６ａが下方に押し下げられると、検出ロッド４２を介して検出プレート４３及び検出アーム４５が回動軸４４を軸に下方（反時計回り）に回動されるとともに、検出アーム４５の下端に連結されている同調ワイヤ７６ｂが後方に押される。
同調ワイヤ７６ｂが後方に押されると、同調ワイヤ７６ｂの他端に連結されている風量調節弁７６が、バネ７６ｃの付勢力により回動軸７６ａを軸に上方（時計回り）に回動される。風量調節弁７６が上方に回動されると、風洞７４の開度（開口面積）が大きくなり、セカンドファン１０７の選別風の風量が大きくなる。
【００４６】
反対に、排藁チェーン１６で搬送される排藁（穀稈）の量が減少すると、上記とは反対の動作により同調ワイヤ７６ｂが前方に引っ張られる。
同調ワイヤ７６ｂが前方に引っ張られると、風量調節弁７６がバネ７６ｃの付勢力に抗して回動軸７６ａを軸に下方（反時計回り）に回動される。風量調節弁７６が下方に回動されると、風洞７４の開度（開口面積）が小さくなり、セカンドファン１０７の選別風の風量が小さくなる。
【００４７】
以上のように、第一実施例のコンバイン１００は、脱穀された穀粒を揺動選別する揺動選別装置６と、揺動選別装置６の後部に選別風を送風するセカンドファン１０７とを備えるコンバイン１００において、セカンドファン１０７は、二番穀粒を回収する二番コンベア２７の後方、かつ脱穀部５終端の三番口５ａの下方に配設され、三番口５ａから排出される穀粒を吸入して、二番コンベア２７上に還元するものである。
このような構成により、脱穀部５終端はスペースに余裕があるため、大径のセカンドファン１０７を設けることができ、選別するのに十分な風量を発生させることができる。
また、吸入した穀粒を二番コンベア２７で回収できるため、三番ロスを低減できる。
【００４８】
そして、セカンドファン１０７は、選別風を導出して、吹き出す風洞７４を備え、風洞７４は、ファンケース７１前部が二番コンベア２７の下側を通って機体前方に延出され、一番コンベア２６の流穀板２６ａ下面に沿って屈曲されて、揺動選別装置６のストローラック３６に向けて選別風を吹き出すように形成されているものである。
このような構成により、脱穀部５終端のスペースを有効活用して、セカンドファン１０７を設けることができる。
また、二番コンベア２７及びストローラック３６付近での選別精度が向上するとともに、ストローラック３６上の藁屑の移送を促進し、滞留を防ぐことができる。
【００４９】
また、風洞７４内に、セカンドファン１０７の選別風の風量を調節する風量調節弁７６が設けられているものである。
このような構成により、穀稈量に応じて、セカンドファン１０７の選別風の風量を適正に調節できるとともに、穀稈量に連動して自動的にセカンドファン１０７の選別風の風量が調節されるため風量調節弁７６を操作する手間が省ける。
また、風量調節弁７６を簡易に構成して、セカンドファン１０７の選別風の風量を適正に調節できる。
【００５０】
そして、ファンケース７１上部に、空気吸入口７２が開口され、吸入口７２の上方に、三番口５ａから排出される穀粒を再選別する篩線７５が配設され、篩線７５で再選別された穀粒を吸入口７２から吸入し、二番コンベア２７上に還元するものである。
このような構成により、セカンドファン１０７が藁屑を吸入することなく、穀粒のみを吸入して二番コンベア２７で回収できる。
【００５１】
また、ファンケース７１の空気吹出口７３に、揺動選別装置６のストローラック３６前部に選別風を送風する風向板７７が設けられているものであるため、ストローラック３６に向けてセカンドファン１０７の選別風を確実に送風して藁屑が滞留し易いストローラック３６前部上の移送を促進し、滞留を防ぐことができる。
【００５２】
次に、別実施例のセカンドファン２０７、３０７について、図６及び図７を用いて説明する。
なお、図６及び図７に示した第一実施例と同一符号の部材は、各実施例において略同一の構成であるため詳細な説明は省略する。
図６及び図７に示すように、第二及び第三実施例のセカンドファン２０７（３０７）は、ファンケース７１の空気吸入側で、選別風の風量を調節する吸入側風量調節弁２７８（３７８）と、ファンケース７１の空気吹出側で、選別風の風量を調節する前記風量調節弁（吹出側風量調節弁）７６とを備え、吸入側風量調節弁２７８（３７８）及び吹出側風量調節弁７６は、穀稈量に連動して風量を調節する。
【００５３】
図６に示すように、第二実施例のセカンドファン２０７は、吸入側風量調節弁２７８がファンケース７１の空気吸入口７２の開口端部に上下回動可能に設けられ、穀稈量検出手段４１により穀稈量に連動して上下回動されて吸入口７２を開閉し、選別風の風量を調節する。
【００５４】
吸入側風量調節弁２７８は、長手方向（機体左右方向）の長さがファンケース７１と略同幅とされ、短手方向（機体前後方向）の長さが吸入口７２の略半分を覆う程度の長さに形成された板状部材である。ファンケース７１の前部カバー７１ａの端部（空気吸入口７２の開口端部）には、枢支軸等よりなる回動部２７８ａが設けられ、吸入側風量調節弁２７８は、この回動部２７８ａを介して前部カバー７１ａの端部に一端が支持され、上下回動可能とされている。
【００５５】
吸入側風量調節弁２７８の他端には、穀稈量検出手段４１（検出アーム４５）に一端が連結されている同調ワイヤ２７８ｂの他端が連結されているとともに、バネ２７８ｃが取り付けられて同調ワイヤ２７８ｂの引張方向と反対方向に付勢されている。
【００５６】
このような構成により、図６に示すように、排藁チェーン１６で搬送される排藁（穀稈）の量が増加すると、排藁ガイド棒１６ａが下方に押し下げられる。排藁ガイド棒１６ａが下方に押し下げられると、検出ロッド４２を介して検出プレート４３及び検出アーム４５が回動軸４４を軸に下方（反時計回り）に回動されるとともに、検出アーム４５の下端に連結されている同調ワイヤ２７８ｂが後方に引っ張られ、同調ワイヤ７６ｂが後方に押される。
【００５７】
同調ワイヤ２７８ｂが後方に引っ張られると、同調ワイヤ２７８ｂの他端に連結されている吸入側風量調節弁２７８が、バネ２７８ｃの付勢力に抗して回動部２７８ａを軸に上方（時計回り）に回動されて、吸入口７２の開度（開口面積）が小さくなる。
【００５８】
一方、同調ワイヤ７６ｂが後方に押されると、前述のように同調ワイヤ７６ｂの他端に連結されている風量調節弁７６が、バネ７６ｃの付勢力により回動軸７６ａを軸に上方（時計回り）に回動される。風量調節弁７６が上方に回動されると、風洞７４の開度（開口面積）が大きくなる。
【００５９】
こうして、吸入口７２の開度（開口面積）が小さくなり、風洞７４の開度（開口面積）が大きくなることにより、セカンドファン２０７の選別風の風量が大きくなる。
【００６０】
反対に、排藁チェーン１６で搬送される排藁（穀稈）の量が減少すると、上記とは反対の動作により同調ワイヤ２７８ｂが前方に押されるとともに、同調ワイヤ７６ｂが前方に引っ張られる。
【００６１】
同調ワイヤ２７８ｂが前方に押されると、吸入側風量調節弁２７８がバネ２７８ｃの付勢力により回動部２７８ａを軸に下方（反時計回り）に回動されて、吸入口７２の開度（開口面積）が大きくなる。
【００６２】
一方、同調ワイヤ７６ｂが前方に引っ張られると、風量調節弁７６がバネ７６ｃの付勢力に抗して回動軸７６ａを軸に下方（反時計回り）に回動される。風量調節弁７６が下方に回動されると、風洞７４の開度（開口面積）が小さくなる。
【００６３】
こうして、吸入口７２の開度（開口面積）が大きくなり、風洞７４の開度（開口面積）が小さくなることにより、セカンドファン２０７の選別風の風量が小さくなる。
【００６４】
次に、第三実施例のセカンドファン３０７について、図７を用いて説明する。
図７に示すように、第三実施例のセカンドファン３０７は、吸入側風量調節弁３７８がファンケース７１の空気吸入口７２の開口端部にファンケース７１の外周（前面）に沿って摺動可能に設けられ、穀稈量検出手段４１により穀稈量に連動して摺動されて吸入口７２を開閉し、選別風の風量を調節する。
【００６５】
吸入側風量調節弁３７８は、ファンケース７１の前部カバー７１ａ（前面側）の形状に沿って側面視略円弧状に形成され、長手方向（機体左右方向）の長さがファンケース７１と略同幅とされ、短手方向（機体前後方向）の長さが吸入口７２の略半分を覆う程度の長さに形成されている。セカンドファン３０７のファン軸３０７ａには、回動アーム３７８ａの一端が前後回動可能に支持されているとともに、この回動アーム３７８ａの他端には、吸入側風量調節弁３７８の端部（上端）がファンケース７１の外周（前面）に沿って回動可能に支持されている。
【００６６】
回動アーム３７８ａの中途部には、穀稈量検出手段４１（検出アーム４５）に一端が連結されている同調ワイヤ３７８ｂの他端が連結されているとともに、バネ３７８ｃが取り付けられて同調ワイヤ３７８ｂの引張方向と反対方向に付勢されている。
【００６７】
このような構成により、図７に示すように、排藁チェーン１６で搬送される排藁（穀稈）の量が増加すると、排藁ガイド棒１６ａが下方に押し下げられる。排藁ガイド棒１６ａが下方に押し下げられると、検出ロッド４２を介して検出プレート４３及び検出アーム４５が回動軸４４を軸に下方（反時計回り）に回動されるとともに、検出アーム４５の下端に連結されている同調ワイヤ３７８ｂが後方に引っ張られ、同調ワイヤ７６ｂが後方に押される。
【００６８】
同調ワイヤ３７８ｂが後方に引っ張られると、同調ワイヤ３７８ｂの他端に連結されている吸入側風量調節弁３７８が、バネ３７８ｃの付勢力に抗してファン軸３０７ａを軸に回動アーム３７８ａを介して上方（時計回り）に回動されて、吸入口７２の開度（開口面積）が小さくなる。
【００６９】
一方、同調ワイヤ７６ｂが後方に押されると、前述のように同調ワイヤ７６ｂの他端に連結されている風量調節弁７６が、バネ７６ｃの付勢力により回動軸７６ａを軸に上方（時計回り）に回動される。風量調節弁７６が上方に回動されると、風洞７４の開度（開口面積）が大きくなる。
【００７０】
こうして、吸入口７２の開度（開口面積）が小さくなり、風洞７４の開度（開口面積）が大きくなることにより、セカンドファン３０７の選別風の風量が大きくなる。
【００７１】
反対に、排藁チェーン１６で搬送される排藁（穀稈）の量が減少すると、上記とは反対の動作により同調ワイヤ３７８ｂが前方に押されるとともに、同調ワイヤ７６ｂが前方に引っ張られる。
【００７２】
同調ワイヤ３７８ｂが前方に押されると、吸入側風量調節弁３７８がバネ３７８ｃの付勢力によりファン軸３０７ａを軸に回動アーム３７８ａを介して下方（反時計回り）に回動されて、吸入口７２の開度（開口面積）が大きくなる。
【００７３】
一方、同調ワイヤ７６ｂが前方に引っ張られると、風量調節弁７６がバネ７６ｃの付勢力に抗して回動軸７６ａを軸に下方（反時計回り）に回動される。風量調節弁７６が下方に回動されると、風洞７４の開度（開口面積）が小さくなる。
【００７４】
こうして、吸入口７２の開度（開口面積）が大きくなり、風洞７４の開度（開口面積）が小さくなることにより、セカンドファン３０７の選別風の風量が小さくなる。
【００７５】
以上のように、第二及び第三実施例のコンバイン１００は、脱穀された穀粒を揺動選別する揺動選別装置６と、揺動選別装置６の後部に選別風を送風するセカンドファン２０７（３０７）とを備えるコンバイン１００において、セカンドファン２０７（３０７）は、ファンケース７１の空気吸入側で、選別風の風量を調節する吸入側風量調節弁２７８（３７８）と、ファンケース７１の空気吹出側で、選別風の風量を調節する吹出側風量調節弁７６とを備え、吸入側風量調節弁２７８（３７８）及び吹出側風量調節弁７６は、穀稈量に連動して風量を調節するものである。
このような構成により、セカンドファン２０７（３０７）の選別風の風量を適正に調節できる。特に、二つの調整弁（吸入側風量調節弁２７８（３７８）、吹出側風量調節弁７６）で調節するため、風量をきめ細かく調節できる。
そして、穀稈量に連動して自動的にセカンドファン２０７（３０７）の選別風の風量が調節されるため吹出側風量調節弁７６、吸入側風量調節弁２７８（３７８）を操作する手間が省ける。
また、既存の穀稈量の連動機構（穀稈量検出手段４１）を利用することにより安価に構成できる。
【００７６】
そして、第二実施例の吸入側風量調節弁２７８は、ファンケース７１の空気吸入口７２の開口端部に、上下回動可能に設けられ、穀稈量に連動して上下回動されて吸入口７２を開閉し、選別風の風量を調節するものである。
このような構成により、吸入側風量調節弁２７８を簡易に構成して、セカンドファン２０７の選別風の風量を適正に調節できる。
【００７７】
そして、第三実施例の吸入側風量調節弁３７８は、ファンケース７１の空気吸入口７２の開口端部に、ファンケース７１に沿って摺動可能に設けられ、穀稈量に連動して摺動されて吸入口７２を開閉し、選別風の風量を調節するものである。
このような構成により、吸入側風量調節弁３７８を簡易に構成して、セカンドファン３０７の選別風の風量を適正に調節できるとともに、吸入側風量調節弁３７８の動きが平面的であるため、狭いスペースでも設置できる。
【図面の簡単な説明】
【００７８】
【図１】コンバインの側面図。
【図２】同じく平面図。
【図３】脱穀部の側面断面図。
【図４】セカンドファン及び風洞の側面断面図。
【図５】第一実施例のセカンドファン及び穀稈量検出手段の側面図。
【図６】第二実施例のセカンドファン及び穀稈量検出手段の側面図。
【図７】第三実施例のセカンドファン及び穀稈量検出手段の側面図。
【符号の説明】
【００７９】
５    脱穀部
５ａ    三番口
６    揺動選別装置
２６    一番コンベア
２６ａ    流穀板
２７    二番コンベア
３６    ストローラック
７１    ファンケース
７２    吸入口
７４    風洞
７５    篩線
７６    風量調節弁
１００    コンバイン
１０７    セカンドファン
２０７    セカンドファン
２７８    吸入側風量調節弁
３０７    セカンドファン
３７８    吸入側風量調節弁
【図１】
2009065846.tif 000003
【図２】
2009065846.tif 000004
【図３】
2009065846.tif 000005
【図４】
2009065846.tif 000006
【図５】
2009065846.tif 000007
【図６】
2009065846.tif 000008
【図７】
2009065846.tif 000009